(57)【要約】【課題】木枠を必要とせず、かさばらないで旅行時の携帯性が良好な油絵セットを提供する。【解決手段】所定大きさの複数枚のキャンバスと、キャンバスを平坦状に保持する画板２を備える。画板２が、板部材と、板部材に積層状に接着又は貼着された板状クッション材４とを備える。板状クッション材４の縦寸法Ｌ１  ′及び横寸法Ｌ２  ′を、板部材の縦寸法及び横寸法とそれぞれ略等しく設定する。画板２の大きさをキャンバスの大きさよりも大きく設定する。キャンバスを着脱自在に保持するクリップ５を画板２に固着する。【選択図】  図１
2004338323.tif 000002
【特許請求の範囲】
【請求項１】
所定大きさの複数枚のキャンバス（１）と、該キャンバス（１）を平坦状に保持する画板（２）を備え、該画板（２）が、板部材（３）と、該板部材（３）に積層状に接着又は貼着された板状クッション材（４）とを備え、上記板状クッション材（４）の縦寸法（Ｌ１  ′）及び横寸法（Ｌ２  ′）を、上記板部材（３）の縦寸法（Ｌ１  ）及び横寸法（Ｌ２  ）とそれぞれ略等しく設定し、上記画板（２）の大きさを上記キャンバス（１）の大きさよりも大きく設定し、上記キャンバス（１）を着脱自在に保持するクリップ（５）を上記画板（２）に取付けたことを特徴とする油絵セット。
【請求項２】
上記画板（２）が、上記板部材（３）と板状クッション材（４）との接着又は貼着を補強するための補強手段（Ｒ）を具備し、そして、クリップ（５）は取付板（６）とキャンバス挾持用弾発アーム（７）とを備え、板状クッション材（４）の表て面に圧接される上記取付板（６）と、該取付板（６）を画板（２）に固着するためのカシメピン（８）によって、上記補強手段（Ｒ）を構成した請求項１記載の油絵セット。
【請求項３】
上記画板（２）が、板部材（３）の角部（３ａ）と板状クッション材（４）の角部（４ａ）を挾持状にカシメて上記角部（３ａ）（４ａ）に固着されるＬ字状補強部材（１０）を有する請求項１又は２記載の油絵セット。
【請求項４】
キャンバス（１）上の未乾燥の油彩絵具（Ｐ）に被覆状に重ねて該油彩絵具（Ｐ）が他のものに付着するのを防ぐ多数の小突部（１３）を有する保護シート（１４）を備えた請求項１記載の油絵セット。
【請求項５】
上板部材（１６）と下板部材（１７）を有し、該上板部材（１６）と該下板部材（１７）を、相互に揺動自在に帯体（１８）にて連結し、上記下板部材（１７）が、該下板部材（１７）と上記上板部材（１６）を近接状態とした時に、内部空間（Ｙ）を略密閉状にする突条（１９）を有するパレット（１５）を備えた請求項１又は４記載の油絵セット。
【請求項６】
上記キャンバス（１）と、上記画板（２）と、上記パレット（１５）を同時に収納する厚紙収納体（２０）を備えた請求項１又は４記載の油絵セット。
【発明の詳細な説明】
【０００１】
本発明は、旅行の携帯に便利な油絵セットに関する。
【０００２】
【従来の技術】
従来、油絵を描くためのキャンバス（画布）は、木枠にクリップや釘等にて張設されていた（例えば、特許文献１参照）。そして、油絵を描いたあとは、そのまま、額縁に入れられていた。また、油絵を描いたあとは、彩面───油彩絵具表面───を空気にさらして自然乾燥させていた。また、使用後のパレットは、その表面を空気にさらされていた。
【０００３】
【特許文献１】
特開平１０−１９３８９８号公報
【０００４】
【発明が解決しようとする課題】
しかしながら、油絵を描くときも、油絵を飾るときも、木枠が必要とされ、しかも、一枚のキャンバス（画布）に対し１個の木枠を取付けていたので、資源が無駄にされるとともに、旅行中に複数枚の油絵を描く場合には、油絵全体がかさばるため、移動時の運搬が困難であった。
【０００５】
また、油絵が完成したあと、すぐには油彩絵具が乾燥しないため、描いた後の乾いていないキャンバスを保全するのが困難であった。すなわち、彩面───油絵の表面───を不用意に取扱うと、身体や衣服やシーツやカーテンを汚す虞れがあった。
また、パレット上の油彩絵具が翌日には乾燥してしまうために、毎回パレット上の油彩絵具を除去しなければならなかった。
【０００６】
そこで、本発明は、油絵を描いたり飾ったりするときに木枠を必要とせず、大幅な省資源を実現することができるとともに、かさばらないで旅行時の携帯性が良好な油絵セットを提供することを目的とする。また、油彩絵具が他のものに付着する虞れをなくして容易に油絵を保全することができるとともに、小さなスペースで油絵を保管することができる油絵セットを提供することを他の目的とする。さらに、空気を遮断することができ、パレット内の油彩絵具を翌日まで乾燥させない油絵セットを提供することを他の目的とする。
【０００７】
【課題を解決するための手段】
そこで、本発明は、所定大きさの複数枚のキャンバスと、該キャンバスを平坦状に保持する画板を備えた油絵セットに於て、該画板が、板部材と、該板部材に積層状に接着又は貼着された板状クッション材とを備え、上記板状クッション材の縦寸法及び横寸法を、上記板部材の縦寸法及び横寸法とそれぞれ略等しく設定し、上記画板の大きさを上記キャンバスの大きさよりも大きく設定し、上記キャンバスを着脱自在に保持するクリップを上記画板に取付けたものである。
【０００８】
また、上記画板が、上記板部材と板状クッション材との接着又は貼着を補強するための補強手段を具備し、そして、クリップは取付板とキャンバス挾持用弾発アームとを備え、板状クッション材の表て面に圧接される上記取付板と、該取付板を画板に固着するためのカシメピンによって、上記補強手段を構成したものである。
【０００９】
また、上記画板が、板部材の角部と板状クッション材の角部を挾持状にカシメて上記角部に固着されるＬ字状補強部材を有するものである。また、キャンバス上の未乾燥の油彩絵具に被覆状に重ねて該油彩絵具が他のものに付着するのを防ぐ多数の小突部を有する保護シートを備えたものである。
【００１０】
また、上板部材と下板部材を有し、該上板部材と該下板部材を、相互に揺動自在に帯体にて連結し、上記下板部材が、該下板部材と上記上板部材を近接状態とした時に、内部空間を略密閉状にする突条を有するパレットを備えたものである。また、上記キャンバスと、上記画板と、上記パレットを同時に収納する厚紙収納体を備えたものである。
【００１１】
【発明の実施の形態】
以下、実施の形態を示す図面に基づき、本発明を詳説する。
【００１２】
図１〜図３は、本発明の実施の一形態を示す。すなわち、この油絵セットは、所定の大きさのキャンバス１と、キャンバス１を平坦状に保持する画板２を備える。画板２は、板部材３と、板部材３に積層状に接着又は貼着された板状クッション材４とを備える。板部材３は厚さ寸法が２ｍｍ〜５ｍｍの厚紙や合板等から成る。板状クッション材４は厚さ寸法が２ｍｍ〜５ｍｍの発泡プラスチックから成り、例えば、ポリウレタンから成る。
【００１３】
板状クッション材４の縦寸法Ｌ１  ′及び横寸法Ｌ２  ′は、板部材３の縦寸法Ｌ１  及び横寸法Ｌ２  とそれぞれ同一に又は略等しく設定される。画板２の大きさは、キャンバス１の大きさ───周辺の余白部も含んだ展開状態での全体の大きさ───よりも、大きく設定される。キャンバス１を着脱自在に保持するクリップ５が画板２に取付けられている。
【００１４】
図２に示すように、クリップ５は取付板６とキャンバス挾持用弾発アーム７とを備える。この画板２は板部材３と板状クッション材４との接着又は貼着を補強する補強手段Ｒを備えている。この補強手段Ｒは、取付板６を画板２に固着するためのカシメピン８と、板状クッション材４の表て面に圧接される取付板６によって、構成されている。弾発アーム７は、弾発部材（例えば、コイルバネ）９によって、取付板６に接近する方向へ常に弾発付勢されている。
【００１５】
具体的には、図２（ａ）は、クリップ５に何も挾持していない状態を示す。このとき、弾発力（復元力）Ｆは常に作用している。図２（ｂ）に示すように弾発アーム７を上方に揺動させると、弾発力（復元力）Ｆが増加する。この状態で、キャンバス１を、取付板６と弾発アーム７の間に差込む。図２（ｃ）及び図３（ａ）は、上辺左右、及び、下辺左右の合計４個のクリップ５にてキャンバス１を挾持（保持）した状態を示す。
【００１６】
図１（ａ）に戻って、符号１０は板部材３の角部３ａと板状クッション材４の角部４ａを挾持状にカシメて角部３ａ，４ａに固着される金属製Ｌ字状補強部材を示す。符号１１は紐１２を付設するための取付部材を示す。紐１２を首に掛けて、絵を描くときに、画板２の傾斜角度を安定させることができる。
【００１７】
図４（ａ）は、絵を描きつつある状態（又は絵を描き終った直後の状態）を示す。Ｐは油彩絵具を示す。図３（ａ）・図４（ａ）に於て、２点鎖線は、絵を描く範囲Ｓ───すなわち、キャンバスの号数のサイズに相当する───を示す。クリップ５は、この絵を描く範囲Ｓの周辺余白部２５に対応する。つまり、クリップ５は、キャンバス１の上記範囲Ｓの域外の周辺余白部２５を挾持する。
【００１８】
図５（ａ）〜図６（ａ）に示すように、油絵セットは、キャンバス１上の未乾燥の油彩絵具Ｐに被覆状に重ねて油彩絵具Ｐが他のもの───人、衣服、カーテン等───に付着するのを防ぐ多数の小突部１３を有する保護シート１４を備える。この保護シート１４は軟質プラスチック又はゴムから成る。
【００１９】
小突部１３は、底面２２が略正方形の四角錐であって、底面２２の１辺の長さＡが、２ｍｍ≦Ａ≦１０ｍｍに設定される。Ａ＜２ｍｍのときは、金型（図示省略）の製造コストが高くなる。１０ｍｍ＜Ａのときは、各小突部１３の頂点が接触する圧力が過大となって小突部１３の頂点によって、油彩絵具Ｐの表面に点々と凹部が形成されてしまう。
【００２０】
図６（ｃ）は、小突部１３を、図６（ｂ）の２点鎖線で示すように切断した断面を示す。角度θは、８０°≦θ≦  １２０°に設定される。角度θが、θ＜８０°のときは、油彩絵具Ｐとの接触面積が大きくなってしまう。また、  １２０°＜θのときは、油彩絵具Ｐの表面とくっついて分離が難しくなる虞れがある。
【００２１】
図７は、絵を描いた後に、キャンバス１を額縁Ｋに保持した状態を示す。すなわち、油彩絵具Ｐが乾燥したら、キャンバス１の裏面１ａに裏板Ｔを当接させて、キャンバス１を額縁Ｋに保持させ、壁（図示省略）に掛けて飾る。図４に示した絵を描いた範囲Ｓが図７の裏板Ｔの大きさに略対応し、図４（ａ）に示した周辺余白部２５は裏板Ｔの側端面及び裏面にわたり、折曲げられて、額縁Ｋに保持される。
【００２２】
本発明に係る油絵セットは、図８に示すようなパレット１５をさらに備えるのが好ましい。このパレット１５は、平面視矩形の上板部材１６と平面視矩形の下板部材１７を有する。上板部材１６の１辺１６ａと下板部材１７の１辺１７ａが、相互に揺動自在に帯体１８にて連結される。帯体１８は、例えば布やプラスチックシートから成る。
【００２３】
下板部材１７が、下板部材１７と上板部材１６を近接状態とした時に、内部空間Ｙを略密閉状にする突条１９を有する。すなわち、下板部材１７は、１辺１７ａ以外の３辺───１７ｂ，１７ｃ，１７ｄ───に沿った位置にそれぞれ突条１９を有する。左右の（平行な）２辺１７ｂ，１７ｄの突条１９，１９は、後方へ───帯体１８側へ───しだいに肉厚（高さ）寸法が減少する。これによって内部空間Ｙは後方へ高さがしだいに減少する。
【００２４】
本発明に係る油絵セットは、図９に示すように、キャンバス１（図３Ａ参照）と、画板２と、保護シート１４（図６Ａ参照）と、パレット１５（図８Ａ参照）を収納する厚紙収納体２０を備えるのが好ましい。厚紙収納体２０は、４本の紐体２１を有する。２点鎖線にて折曲げて紐体２１，２１を相互に結ぶことにより、内部に上述の複数枚のキャンバス１、画板２、保護シート１４、パレット１５等を同時に収納することができる。
【００２５】
なお、絵を描き終えてから額縁Ｋ（図７参照）に保持させるまでの間───例えば、旅先で絵を描き、それを、家まで持ち帰る間───キャンバス１と保護シート１４を重ねてスケッチブック（図示省略）に挾持させておくと良い。あるいは、キャンバス１と保護シート１４を重ねて針金とじ機にてとめて油彩絵具Ｐを保護して上記厚紙収納体２０内に収納しておくも良い。また、本発明の油絵セットとしては、キャンバス１を複数枚備えるのが原則である。そして、キャンバス１の枚数が多いときは、２〜３枚の保護シート１４を備えるのが好ましい。
【００２６】
本発明は、設計変更可能であって、例えば、板状クッション材４は、発泡ウレタン以外の樹脂（例えば、発泡スチレン）から成るも良い。また、保護シート１４の小突部１３の底面２２の形状を長方形、ひし形等とするも良い。なお、本発明に係る油絵セットとして、油彩絵具、絵筆、ナイフ、油入れ、ウエス等を収納する従来周知の箱体を、別に具備するのが通常である。
【００２７】
【発明の効果】
本発明は上述の構成により次のような著大な効果を奏する。
【００２８】
（請求項１，２，３，４，５，６によれば、）複数枚のキャンバス１に絵を描く場合にも、体積が小さく、運搬・収納が便利で絵を描く旅行に好適である。また、板状クッション材４によって、画板２の上で絵を描きやすい。また、板部材３と板状クッション材４の大きさが略等しいので、画板２が強度的に優れる。画板２の大きさがキャンバス１の大きさよりも大きいので、絵を描くときに、キャンバス１の端縁部が損傷したり邪魔になったりせず、美しい平坦状態を保ちながら容易に絵を描くことができる。クリップ５が、着脱不可状態で画板２に取付けられているので、係脱の操作がし易く、かつ、紛失しない。さらに、クリップ５は、キャンバス１の周辺余白部２５を保持するので、油彩絵具Ｐに傷を付けない。
【００２９】
（請求項２によれば、）板部材３と板状クッション材４を強固に一体化でき、耐久性に優れた画板２となる。しかも、クリップ５の取付けと画板２の補強とを同時に行なえるので構造が簡素で製作し易い。
【００３０】
（請求項３によれば、）板部材３の角部３ａと板状クッション材４の角部４ａが損傷するのを防ぐとともに、板部材３と板状クッション材４とが剥離するのを防ぐことができる。
【００３１】
（請求項４によれば、）油彩絵具Ｐが未乾状態のときに他のものと接触しないように保護することができる。言い換えると、油彩絵具Ｐが乾くまでに他のものに付着するのを防ぐことができる。従って、旅行中に、次々と別の絵を描いていく際に至便である。
【００３２】
（請求項５によれば、）残った油彩絵具Ｐが乾燥するのを遅らせて、旅行中、翌日にもその油彩絵具Ｐを使用することができる。しかも、全体の厚さ寸法を最小として、携帯に便利である。
【００３３】
（請求項６によれば、）キャンバス１、画板２等をコンパクトに収納して、旅行中に軽々と携帯できる。
【図面の簡単な説明】
【図１】本発明の実施の一形態を示す図であって、（ａ）  は平面図、（ｂ）  は分解斜視説明図である。
【図２】作用説明用の要部拡大断面正面図である。
【図３】使用状態を説明する図であって、（ａ）  は平面図、（ｂ）  は要部拡大断面正面図である。
【図４】使用状態を説明する図であって、（ａ）  は平面図、（ｂ）  は要部拡大断面正面図である。
【図５】使用状態を説明する図であって、（ａ）  は平面図、（ｂ）  は要部拡大断面正面図である。
【図６】保護シートの一例を示す図であって、（ａ）  は底面図、（ｂ）  は斜視図、（ｃ）  は説明断面図である。
【図７】説明用断面正面図である。
【図８】パレットの一例を示す図であって、（ａ）  は斜視図、（ｂ）  は側面図である。
【図９】厚紙収納体を示す展開図である。
【符号の説明】
１  キャンバス
２  画板
３  板部材
３ａ  角部
４  板状クッション材
４ａ  角部
５  クリップ
６  取付板
７  弾発アーム
８  カシメピン
１０  Ｌ字状補強部材
１３  小突部
１４  保護シート
１５  パレット
１６  上板部材
１７  下板部材
１８  帯体
１９  突条
２０  厚紙収納体
Ｌ１  縦寸法
Ｌ２  横寸法
Ｌ１  ′縦寸法
Ｌ２  ′横寸法
Ｐ  油彩絵具
Ｒ  補強手段
Ｙ  内部空間
【図１】
2004338323.tif 000003
【図２】
2004338323.tif 000004
【図３】
2004338323.tif 000005
【図４】
2004338323.tif 000006
【図５】
2004338323.tif 000007
【図６】
2004338323.tif 000008
【図７】
2004338323.tif 000009
【図８】
2004338323.tif 000010
【図９】
2004338323.tif 000011